(57)【特許請求の範囲】
【請求項１】
記憶部に記憶された医用画像ファイルの中から記憶媒体へ複写される医用画像ファイルの選択を受け付ける選択工程と、
選択された医用画像ファイルが前記記憶媒体へ複写される毎に、前記記憶媒体の外に生成されたファイル管理情報を更新する更新工程と、
選択された医用画像ファイルの全てが記憶媒体へ複写された後で、前記ファイル管理情報を前記記憶媒体へ複写する複写工程と、を複写装置が実行することを特徴とする医用画像ファイルの複写方法。
【請求項２】
前記選択工程に先立って、前記記憶媒体に予め記憶されている記憶情報を前記記憶媒体の外へ退避する退避工程と、
前記記憶媒体への前記医用画像ファイルの複写の中止を受け付けると前記記憶媒体の外へ退避された記憶情報に基づいて前記記憶媒体の記憶情報を復旧する復旧工程と、を更に複写装置が実行することを特徴とする請求項１に記載の医用画像ファイルの複写方法。
【請求項３】
記憶部に記憶された医用画像ファイルの中から記憶媒体へ複写される医用画像ファイルの選択を受け付ける選択部と、
選択された医用画像ファイルが前記記憶媒体へ複写される毎に、前記記憶媒体の外に生成されたファイル管理情報を更新する更新部と、
選択された医用画像ファイルの全てが記憶媒体へ複写された後で、前記ファイル管理情報を前記記憶媒体へ複写する複写部と、を有することを特徴とする医用画像ファイルの複写装置。
【請求項４】
前記記憶媒体に予め記憶されている記憶情報を前記記憶媒体の外へ退避する退避部と、
前記記憶媒体への前記医用画像ファイルの複写の中止を受け付けると前記記憶媒体の外へ退避された記憶情報に基づいて前記記憶媒体の記憶情報を復旧する復旧部と、を更に有することを特徴とする請求項３に記載の医用画像ファイルの複写装置。
【発明の詳細な説明】
【技術分野】
【０００１】
本発明は、医用画像ファイルをハードディスクからブルーレイディスクなどのデジタル画像の記憶媒体(以下、単に「記憶媒体」という)への複写技術に関するものである。
【背景技術】
【０００２】
医用画像は、X線CT装置、磁気共鳴イメージング(MRI)装置及び超音波診断装置などの画像診断装置によって計測され、いずれも被検体の検査部位に係る断層像などをモニタに表示して診断に供するものである。医用画像は、画像診断装置から計測され、医用画像データとして生成される。医用画像データはファイル管理情報を付与して医用画像ファイルとして医用画像記憶部に記憶される。医用画像記憶部は、ハードディスクやメモリである。
【０００３】
医用画像記憶部から記憶媒体へ医用画像ファイルを複写する際には、記憶媒体の医用画像ファイルの記憶内容が医用画像ファイルのDICOMDIRと呼ばれるDICOM規格のファイルのディレクトリを示すファイル管理情報で管理されている。
【０００４】
例えば、特許文献1では、記憶媒体から医用画像ファイルを削除する際に、医用画像ファイルの実体と医用画像ファイルのDICOMDIRが整合しない場合、削除する医用画像ファイルのヘッダ情報から固有識別子を抽出して、医用画像ファイルの実体の内容とファイル管理情報とを整合させていた。
【先行技術文献】
【特許文献】
【０００５】
【特許文献１】特開平11-96731号公報
【発明の概要】
【発明が解決しようとする課題】
【０００６】
しかしながら、上記従来技術では、医用画像ファイル毎に固有識別子とファイル管理情報を記憶媒体上でアクセスすることが必要となるため、記憶媒体への総アクセス時間が増加していた。殊に記憶媒体がDVDと比べて、数十倍の記憶容量を有するブルーレイディスク、あるいは数百倍の記憶容量を有するホログラムディスクが開発される状況にあって、記憶媒体の総アクセス時間の短縮は解決すべき課題であった。
【０００７】
そこで、本発明の目的は、医用画像ファイルの複写の際に医用画像ファイルの記憶可能容量が増加しても記憶媒体へ保存する速度が維持可能な医用画像ファイルの複写方法を提供することにある。
【０００８】
また、本発明の別の目的は、医用画像ファイルの複写の際に医用画像ファイルの記憶可能容量が増加しても記憶媒体へ保存する速度が維持可能な医用画像ファイルの複写装置を提供することにある。
【課題を解決するための手段】
【０００９】
本発明の医用画像ファイルの複写方法は、医用画像生成部により生成された医用画像データにファイル管理情報を付与して医用画像ファイルとして第1の医用画像記憶部に記憶する医用画像ファイル記憶工程と、  前記医用画像ファイルを前記第1の医用画像記憶部から記憶媒体へ複写する対象を複写対象として選択する複写対象選択工程と、前記複写対象に該当するファイル管理情報に基づいて前記医用画像ファイルを前記第1の医用画像記憶部から記憶媒体へ複写する医用画像ファイル複写工程と、を有する医用画像ファイルの複写方法であって、前記第1の医用画像記憶部から記憶媒体へ前記医用画像ファイルを複写する都度に、第2の医用画像記憶部のファイル管理情報を更新するファイル管理情報更新工程と、前記複写対象の全ての医用画像ファイルの複写が終了した段階での前記第2の医用画像記憶部のファイル管理情報を、前記第2の医用画像記憶部から記憶媒体へ複写するファイル管理情報複写工程と、を有したことを特徴とする。
【００１０】
また、本発明の医用画像ファイルの複写装置は、医用画像生成部により生成された医用画像データにファイル管理情報を付与して医用画像ファイルとして記憶する第1の医用画像記憶部と、前記医用画像ファイルを前記第1の医用画像記憶部から複写する記憶媒体と、前記医用画像ファイルを前記第1の医用画像記憶部から記憶媒体へ複写する対象を複写対象として選択する入力部と、を有する医用画像ファイルの複写装置であって、前記医用画像ファイルを前記第1の医用画像記憶部から記憶媒体へ複写する都度にファイル管理情報を更新記憶する第2の医用画像記憶部と、前記複写対象の全ての医用画像ファイルの複写が終了した段階での前記第2の医用画像記憶部のファイル管理情報を、前記第2の医用画像記憶部から記憶媒体へ複写する制御部と、を有したことを特徴とすることを特徴とする。
【発明の効果】
【００１１】
本発明によれば、医用画像ファイルの複写の際に医用画像ファイルの記憶可能容量が増加しても記憶媒体へ保存する速度が維持可能な医用画像ファイルの複写方法を提供できる。
【００１２】
また、本発明によれば、医用画像ファイルの複写の際に医用画像ファイルの記憶可能容量が増加しても記憶媒体へ保存する速度が維持可能な医用画像ファイルの複写装置を提供できる。
【図面の簡単な説明】
【００１３】
【図１】本発明の医用画像ファイルの複写方法及び装置を採用するX線CT装置の全体構成図。
【図２】DICOM仕様における医用画像ファイルのハードディスク1033から記憶媒体104への複写の際のデータフローを説明する図。
【図３】図2のデータフローの手順を説明するフローチャート。
【図４】記憶媒体104Mの記憶内容を退避するためのデータフローを説明する図。
【図５】図4のデータフローの手順を説明するフローチャート。
【発明を実施するための形態】
【００１４】
次に図面を参照して、本発明の実施の形態を詳細に説明する。
図1は本発明の医用画像ファイルの複写方法及び装置を採用するX線CT装置の全体構成図である。
【００１５】
X線CT装置は、図1(a)に示すように、スキャナガントリ部101、寝台102及びCTコンソール部103を有している。
【００１６】
スキャナガントリ部101は、被検体にX線を照射するX線源と被検体の透過X線を検出するX線検出器(図示省略)を被検体の周囲に回転可能に保持すると共に、X線源とX線検出器の回転、X線源のX線の曝射を行う。
【００１７】
寝台102は、被検体が横臥するもので、寝台102の天板は被検体の体軸方向に移動可能であって、天板が移動可能な機構であることによりスキャナガントリ部101に被検体の撮影位置を位置決めすることが可能である。
【００１８】
CTコンソール 103は、X線CT装置の各構成要素であるスキャナガントリ部101、寝台102、外部記憶装置104、モニタ部105を入力部106による入力パラメータにより制御するもので、詳細は図1(b)で後述する。
【００１９】
外部記憶装置104は、記憶媒体104Mをドライブに装填し、記憶媒体104Mに医用画像ファイルとファイル管理情報を記憶するとともに、別のX線CT装置などの医用画像診断装置などで記憶媒体104Mに予め記憶しておいた医用画像ファイルとファイル管理情報を再生する。記憶媒体104Mは、ブルーレイディスク、ホログラムディスク、可搬型ハードディスクなど、現在主に流通しているDVD−RAMディスクよりも大量に医用画像ファイルやファイル管理情報を記憶/再生可能な記憶媒体を例にして説明する。
【００２０】
モニタ部105は、医用画像ファイルを医用画像として表示する。
【００２１】
入力部106は、操作者が図示しているキーボード、マウスやトラックボールなどのポインティングデバイス(図示省略)を用いて、X線CT装置の撮影条件(KV、mAs、スキャン時間)などを入力する。
【００２２】
次に、CTコンソール103の詳細な構成例を説明する。
CTコンソール 103は、図1(b)に示すように、ガントリ系インターフェース(I/F)1031と、寝台系I/F1032と、ハードディスク1033と、外部記憶I/F1034と、表示系I/F1035と、入力系I/F1036と、メモリ1037と、 CPU1038を有している。
【００２３】
ガントリ系I/F1031はスキャナガントリ部101にCPU1038の制御コードを引き渡すI/Fである。寝台系I/F1032は寝台102にCPU1038の制御コードを引き渡すI/Fである。ハードディスク1033は医用画像ファイルとファイル管理情報を記憶/読出するもので、被検体を撮像した情報として投影データ(投影データはX線CT画像に変換前のデータを示し、ローデータと呼ばれる場合もある)と医用画像ファイルを保存している。
【００２４】
外部記憶I/F1034は外部記憶装置104にCPU1038の制御コードを引き渡すI/Fである。表示系I/F1035はモニタ部105に CPU1038の制御コードを引き渡すI/Fである。入力系I/F1036はキーボード等を用いて操作者が入力したX線CT装置の撮影条件をCPU1038の制御コードに直して引き渡すI/Fである。メモリ1037は医用画像ファイルの複写動作などの各種のCPU1038の動作モードで使用する所謂ワークメモリである。
【００２５】
CPU1038は入力系I/F1036の制御コード(撮影条件と同義)に基づきガントリ系I/F1031、寝台系I/F1032、ハードディスク1033、外部記憶I/F1034及び表示系I/F1035への制御コードを生成する。
【実施例１】
【００２６】
次に、実施例1について図2、図3を用いて説明する。
実施例1では、ハードディスク1033から記憶媒体104へ医用画像ファイルを複写する例を述べる。
【００２７】
図2はDICOM仕様における医用画像ファイルのハードディスク1033から記憶媒体104への複写の際のデータフローを説明する図、図3は図2のデータフローの手順を説明するフローチャートである。
【００２８】
操作者は、X線CT装置で撮影した被検体の撮影画像リストを元にハードディスク1033から記憶媒体104Mへ複写したい医用画像ファイルを選択する(ステップ301)。
【００２９】
CPU1038は、ハードディスク内に記憶される医用画像ファイルのデータベースから選択した医用画像ファイルを取得し、メモリ1037の記憶エリア201に記憶する(ステップ302)。
【００３０】
CPU1038は、外部記憶装置104に装填された記憶媒体104MのDICOMDIRの記憶エリア203を読出す(ステップ303)。DICOMDIRは医用画像ファイルのファイル管理情報の一つでファイルの名前やファイル生成日時の情報を示すディレクトリ情報である。ここでは、ファイル管理情報をDICOMDIRで説明するが、医用画像の撮影部位の情報であってもよく、ファイル管理情報はディレクトリ情報に限定されない。
【００３１】
CPU1038は、読み出したDICOMDIRの存否を判定し、記憶媒体104MにDICOMDIRが存在しない場合はステップ305以降を実行し、記憶媒体104MにDICOMDIRが存在する場合は、ステップ306以降を実行する(ステップ304)。
【００３２】
CPU1038は、DICOMDIRが記憶媒体104Mに存在しない場合、記憶媒体104Mの記憶エリア203にDICOMDIRの書き込み領域203を獲得する(ステップ305)。
【００３３】
CPU1038は、医用画像ファイルをハードディスク1033からメモリ1037の記憶領域201へ複写し、メモリ1037の記憶領域201から記憶媒体104Mの記憶領域203を除く記憶領域に複写する(ステップ306)。
【００３４】
CPU1038は、読込んだ医用画像ファイルを元にDICOMDIRをメモリ1037の記憶領域202に書き込む(ステップ307)。
【００３５】
CPU1038は、ステップ301で選択した複写対象となった医用画像ファイルが全て記憶媒体104Mに複写されたか否かを判定し、医用画像ファイルが全て複写されていればステップ309を実行し、医用画像ファイルが全て複写されていなければ、ステップ306を実行する(ステップ308)。
【００３６】
CPU1038は、医用画像ファイルの全ての複写が終了後のDICOMDIRをメモリ1037の記憶領域202から記憶媒体104Mの記憶領域203に複写し、処理を終了する(ステップ309)。
【００３７】
実施例1によれば、ステップ306によって医用画像ファイルをハードディスク1033から記憶媒体104Mへ複写する都度に、DICOMDIRを更新するステップ307と、更新されたDICOMDIRをメモリ1037から記憶媒体10Mへ複写するステップ309とを有しているので、医用画像ファイルの複写の際に医用画像ファイルの記憶可能容量が増加しても記憶媒体104Mへ保存する速度が維持できる。
【００３８】
また、実施例1の特有の効果は、DICOMDIRの更新がメモリ1037のみで行われ、複写終了後のDICOMDIRが記憶媒体104Mに記憶されるようになっているので、記憶媒体104Mのアクセスを必要最小限とすることができるため、記憶媒体104Mへの総アクセス時間を短縮することができる。
【実施例２】
【００３９】
次に、実施例2について図4、図5を用いて説明する。
実施例2では、操作者が医用画像ファイルを記憶媒体104Mに複写する際に複写を中止した場合、記憶媒体104Mの記憶内容を複写前に復旧する例を述べる。
【００４０】
図4は記憶媒体104Mの記憶内容を退避するためのデータフローを説明する図、図5は図4のデータフローの手順を説明するフローチャートである。
【００４１】
CPU1038は、外部記憶装置104に記憶媒体104Mが装填されたことを外部記憶I/F1034を介して認識し、記憶媒体104M中のDICOMDIRの記憶領域203からメモリ1037の記憶領域401へDICOMDIRの記憶領域203の記憶内容を退避する(ステップ501)。
【００４２】
CPU1038は、ステップ501で退避したDICOMDIRの記憶内容からその記憶内容がDICOMDIRであるか否かを判定し、該記憶内容がDICOMDIRでない場合はステップ503を実行し、該記憶内容がDICOMDIRである場合はステップ505を実行する(ステップ502)。
【００４３】
CPU1038は、記憶媒体104Mのファイルアロケーションテーブル(FAT)情報を読み出し、当該FAT情報を記憶媒体104Mからメモリ1037の記憶領域401へ退避する(ステップ503)。
【００４４】
CPU1038は、記憶媒体104Mの全トラック情報を読出し、当該全トラック情報を記憶媒体104Mからメモリ1037の記憶領域402へ退避し、次にステップ506の入力を待機する(ステップ504)。
【００４５】
CPU1038は、記憶媒体104Mから医用画像ファイルを読出し、当該医用画像ファイルを記憶媒体104Mからメモリ1037の記憶領域402へ退避し、次にステップ506の入力を待機する(ステップ505)。
【００４６】
操作者は、実施例1の複写処理の中止を入力部106を用いて入力する。CPU1038へは入力部106で入力された複写処理の中止を入力系I/F1036を介して伝達される。また、複写前の記憶媒体104Mがメモリ1037に記憶されているから、実施例1でハードディスク1033から記憶媒体104Mへ画像ファイルの複写工程のうちの如何なる工程であっても、操作者は、実施例1の複写処理の中止を入力部106を用いて入力してもよい。
【００４７】
CPU1038は、操作者に複写処理の中止を確認するため、例えば「複写処理を中止しますか(Yes/No)？」のメッセージをモニタ部105に表示する(ステップ506)。操作者は、表示部105に表示された「複写処理を中止しますか(Yes/No)？」のメッセージに対し、確認入力を入力部106を用いて入力する。CPU1038へは入力部106で入力された確認入力を入力系I/F1036を介して伝達される。CPU1038は、該確認入力が複写中止を実行するか否かを判定し、複写中止を実行しない場合はステップ508を実行し、複写中止を実行する場合はステップ509を実行する(ステップ507)。
【００４８】
CPU1038は、実施例1のハードディスク1033から記憶媒体104Mへ画像ファイルの複写工程のステップ301〜309を実行する(ステップ508)。
【００４９】
CPU1038はステップ501〜ステップ504で複写前の記憶媒体104Mを退避していた情報に基づき複写前の記憶媒体104Mの記憶内容を復旧する。具体的にはDICOMDIRが有る場合はステップ501で退避したDICOMDIRとステップ505で退避した医用画像ファイルを用いて複写前の記憶媒体104Mを復旧する。また、DICOMDIRが無い場合はステップ503で退避した記憶媒体104MのFATとステップ504で退避した記憶媒体の全トラックに記憶された記憶内容を用いて複写前の記憶媒体104Mを復旧する(ステップ509)。
【００５０】
実施例2によれば、複写実行工程のステップ508を含んでいるので、実施例1と同様に、医用画像ファイルの複写の際に医用画像ファイルの記憶可能容量が増加しても記憶媒体104Mへ保存する速度を維持できる。
【００５１】
また、実施例2の特有の効果は、実施例1の複写工程の如何なるときに複写を中止しても、複写前の記憶媒体104に復旧させることができる。
【００５２】
上記実施例2において、退避の信頼性を向上させるため、退避情報をメモリ1037に記憶させるだけでなく、ハードディスク1033に記憶領域を設けて、ハードディスク1033に記憶領域にも該退避情報を記憶させてもよい。
【００５３】
また、上記実施例1，2において、記憶媒体104Mを、ブルーレイディスク、ホログラムディスク、可搬型ハードディスクなど、現在主に流通しているDVD−RAMディスクよりも大量に医用画像ファイルやファイル管理情報を記憶/再生可能な記憶媒体と定義したが、記憶媒体のアクセス時間短縮はどの記憶媒体にも共通するので、上記実施例1，2で開示した発明は全ての記憶媒体に用いて有用な技術である。
【００５４】
また、上記実施例1，2において、X線CT装置で説明したが、上記実施例1，2で開示した発明は、磁気共鳴イメージング(MRI)装置、超音波診断装置などあらゆる被検体の内外の形態情報を画像化する医要画像診断装置でも用いて有用な技術である。
【符号の説明】
【００５５】
104  外部記憶装置、104M  記憶媒体、1033  ハードディスク。1037  メモリ,1038  CPU
【図１】
0005544241.tif 000002
【図２】
0005544241.tif 000003
【図３】
0005544241.tif 000004
【図４】
0005544241.tif 000005
【図５】
0005544241.tif 000006